(57)【特許請求の範囲】
【請求項１】
ラッチ錠と、所定間隔を有して扉の内壁面に固定される一組の台座と、これらの台座に架設した状態で両端部が支持されると共に付勢バネにより初期位置に付勢されたハンドルと、このハンドルを扉の開く方向へプッシュすると、ハンドルの一端部を軸支する枢軸が支点となって前記台座の一方の台座に第１固定軸を介して軸支されかつ該ハンドルの自由端部に連結された作動リンクの可動ピンが台座の内方向へ所定量位置変位すると共に、該作動リンクに連動するように前記一方の台座に第２固定軸を介して軸支された連動レバーとから成るラッチ錠用のハンドル装置であって、
前記作動リンクは長杆状に形成されており、一方、前記連動レバーは前記第２固定軸に軸支された部分から折り曲げられて延び前記一方の台座の取付けベース面から突出した状態で前記ラッチ錠の駆動体と係合する突出端部を有し、さらに、回転半径の異なる異形の前記作動リンク及び連動レバーの各中間部分は、連係手段を介して互いに係合する、ラッチ錠用のハンドル装置。
【請求項２】
請求項１に於いて、ハンドルは扉の内壁に設けられた内側ハンドルであり、また連動レバーの回転半径は、作動リンクの回転半径よりも短いことを特徴とするラッチ錠用のハンドル装置。
【請求項３】
請求項１又は請求項２に於いて、ラッチ錠の錠箱内には駆動体の駆動力によって作動する摺動制御体及び該摺動制御体に連動する押圧体を備えた内外気圧差解消装置が組み込まれていることを特徴とするラッチ錠用ハンドル装置。
【発明の詳細な説明】
【技術分野】
【０００１】
本発明はラッチ錠用のハンドル装置に関し、例えば一端部が台座に軸支された室内側のハンドルを、扉の開く方向へ押す（プッシュする）際、一端部の枢軸を支点にハンドルが所定角度まで傾倒するハンドル揺動型のラッチ錠用ハンドル装置に関する。
【背景技術】
【０００２】
特許文献１の第１図に於いて、ラッチ錠Ｂを備えた扉Ａの左壁面（内壁面）に、上下方向に所定間隔を有して固定される上下一組の台座５、６と、これらの台座に垂直方向に架設した状態で両端部が支持されると共に付勢バネにより初期位置に付勢された室内側ハンドル２と、前記上方の台座６の内部に中間部が軸支されていると共に、その下端部側に相当する受動部８ａが前記室内側ハンドル２の自由端部に係合し、かつ、水平部側に相当する係合部が扉Ａの内壁面に形成した開口部を介して前記ラッチ錠Ｂの錠箱内に突出状態に臨むＬ字形状の作動片８とから成るラッチ錠用のハンドル装置が開示されている（符号は文献に記載のもの）。
【０００３】
このラッチ錠用のハンドル装置（特許文献１では、プッシュ・プル錠のハンドル装置）は、ハンドル揺動型のもので、前記室内側ハンドル２を扉Ａの開く方向（図面では符合のニ）へプッシュすると、ハンドルの一端部を軸支する枢軸２ａが支点となって室内側ハンドル２の自由端部が室内方向へ所定量位置変位する。該特許文献１に記載されているように、室内側ハンドル２のプッシュの操作力によって、作動片８が回転すると、ラッチ錠Ｂの錠箱内に組み込まれたラッチ操作部材（駆動体としてのラッチカム）を介してラッチの後退或いは後退動を許容させてラッチ錠Ｂを解錠する共に、扉Ａをプッシュする方向へと開くことができる。
【０００４】
ところで、特許文献１の実施例を含め、ハンドル揺動型のラッチ錠用ハンドル装置は、ハンドルの作動方向の力が全て扉を開放させる力として作用させるので、台座内に軸支された作動片を回動させかつ扉を開放するのに要する力は比較的小さくて良いという利点がある。
【０００５】
しかしながら、ラッチ錠のラッチ操作部材（ラッチカム、或いは駆動カム）やラッチ解錠制御部材、さらに、錠箱内に組み込まれた他の装置（例えば内外気圧差解消装置）を構成する摺動制御部材等にハンドルの作動方向の力を同時に分散させて伝える場合には、その分、ハンドルを強く操作する必要がある。
【０００６】
そこで、ハンドル揺動型のラッチ錠用ハンドル装置の利点を生かしつつ、ラッチ錠のラッチ操作部材（駆動体）を介して、ラッチ錠の錠箱内に組み込まれた他の単数又は複数の装置にハンドルの作動方向の力を同時に分散させて伝える場合に相応しい新規なハンドル揺動型のラッチ錠用ハンドル装置の出現が要望されている。
【０００７】
また、扉の左右の壁面に異なる構成のハンドル装置をそれぞれ装着しても、プル側ハンドル装置の連動レバーの可動端部（突出端部）に対して、プッシュ側のハンドル装置の連動レバーを、ラッチ錠の駆動体の受動部に対して略同一水平線上に位置付けることができると共に、前記駆動体の受動部を同じ方向へ押圧することができるものが要望されている。
【先行技術文献】
【特許文献】
【０００８】
【特許文献１】実用新案登録第２５２９２６３号公報
【発明の概要】
【発明が解決しようとする課題】
【０００９】
本願発明の所期の目的は、作動リンクの回転力を、連係手段を介して連動レバーの上下方向（実施態様によっては左右方向）の振幅（ストローク）の拡大化を図ることである。次の目的は、扉の左右の壁面に異なる構成のハンドル装置をそれぞれ装着しても、プル側ハンドル装置の連動レバーの可動端部（突出端部）に対して、プッシュ側のハンドル装置の連動レバーを、ラッチ錠の駆動体の受動部に対して略同一水平線上に位置付けることができると共に、前記駆動体の受動部を同じ方向へ押圧することができることである。さらに、付加的目的は、ハンドル揺動型のラッチ錠用ハンドル装置の利点を生かしつつ、ラッチ錠の駆動体を介して、ラッチ錠の錠箱内の他の装置にハンドルの作動方向の力を同時に分散させて伝える場合に相応しい新規なハンドル揺動型のラッチ錠用ハンドル装置を提供することである。
【００１０】
具体的には、ハンドル揺動型のラッチ錠用ハンドル装置の利点を減殺しないように、回転半径の異なる異形の作動リンクと連動レバーとを組み合わせ、ハンドルを軽くプッシュしても、台座に設けた前記作動リンクと連動レバーがスムースに回転してラッチ錠の駆動体を作動させることである。
【課題を解決するための手段】
【００１１】
本願発明のラッチ錠用のハンドル装置は、ラッチ錠と、所定間隔を有して扉の内壁面に固定される一組の台座と、これらの台座に架設した状態で両端部が支持されると共に付勢バネにより初期位置に付勢されたハンドルと、このハンドルを扉の開く方向へプッシュすると、ハンドルの一端部を軸支する枢軸が支点となって前記台座の一方の台座に第１固定軸を介して軸支されかつ該ハンドルの自由端部に連結された作動リンクの可動ピンが台座の内方向へ所定量位置変位すると共に、該作動リンクに連動するように前記一方の台座に第２固定軸を介して軸支された連動レバーとから成るラッチ錠用のハンドル装置であって、
前記作動リンクは長杆状に形成されており、一方、前記連動レバーは前記第２固定軸に軸支された部分から折り曲げられて延び前記一方の台座の取付けベース面から突出した状態で前記ラッチ錠の駆動体と係合する突出端部を有し、さらに、回転半径の異なる異形の前記作動リンク及び連動レバーの各中間部分は、連係手段を介して互いに係合することを特徴とする。
【発明の効果】
【００１２】
（ａ）作動リンクの回転力を、連動レバーの上下方向、或いは左右方向の振幅（ストローク）の量の拡大に変換させることができる。特に、ニ軸を用いたので、各ニ軸の位置を適宜に設計変更することにより、連動レバーの振幅の量を所望する所まで拡大することができる。したがって、扉の左右の壁面に異なる構成のハンドル装置をそれぞれ装着しても、プル側ハンドル装置の連動レバーの可動端部（突出端部）に対して、プッシュ側のハンドル装置の連動レバーを、ラッチ錠の駆動体の受動部に対して略同一水平線上に位置付けることができると共に、前記駆動体の受動部を同じ方向へ押圧することができる。
（ｂ）ハンドル揺動型のラッチ錠用ハンドル装置の利点を生かしつつ、ラッチ錠の駆動体を介して、ラッチ錠の錠箱内の他の装置にハンドルの作動方向の力を同時に分散させて伝える場合に相応しい新規なハンドル揺動型のラッチ錠用ハンドル装置を提供することができる。
（ｃ）具体的には、ハンドル揺動型のラッチ錠用ハンドル装置の利点を減殺しないように、回転半径の異なる異形の作動リンクと連動レバーとを組み合わせ、ハンドルを軽くプッシュしても、台座に設けた作動リンク及び連動レバーが共働回転してラッチ錠の駆動体を作動させることができる。
【図面の簡単な説明】
【００１３】
図１乃至図１７は本発明の第１実施形態を示す各説明図。図１乃至図７はプル側ハンドル装置の各説明図である。図９乃至図１７はプッシュ側ハンドル装置の各説明図である。図８はプル側及びプッシュ側の両方に使用される内外気圧差解消装置の説明図である。
【図１】プル側ハンドル装置の使用状態を示す説明図（扉の外壁面側）。
【図２】扉の自由端面側から見た説明図（プル側とプッシュ側の両方）。
【図３】他の装置（例えば内外気圧差解消装置）を備えたラッチ錠の一例を示す概略説明図。
【図４】プル側のハンドル装置の初期位置の状態の説明図。
【図５】プル側のハンドル装置の主要部の説明図。
【図６】図４の初期位置からの主要部の作動状態を示す説明図。
【図７】外側ハンドルを完全にプルした状態を示す説明図。
【図８】プル側及びプッシュ側の両方に使用される内外気圧差解消装置の説明図。
【図９】プッシュ側ハンドル装置の使用状態を示す説明図（扉の内壁面側）。
【図１０】図４に相当する説明図。
【図１１】図５に相当する説明図。
【図１２】上方台座の正面図。
【図１３】図１２の１３−１３線説明図。
【図１４】要部（内側ハンドルの自由端部と作動リンク）の説明図。
【図１５】要部（作動リンクと連動リンク）の説明図。
【図１６】図１１の初期位置からの主要部の作動状態を示す説明図。
【図１７】内側ハンドルを完全にプッシュした状態を示す説明図。
【発明を実施するための最良の形態】
【００１４】
図１乃至図１７は本発明の実施形態を示す各説明図である。まず、図１乃至図７を参照にしてプル側ハンドル装置を説明する。次に、図８を参照にしてプル側及びプッシュ側の両方に使用される内外気圧差解消装置を説明する。そして、最後に図９乃至図１７を参照にしてプッシュ側ハンドル装置を説明する。
【００１５】
図１は扉の外壁面側から見たラッチ錠用ンドル装置（プル側ハンドル装置）の環境を示す概略説明図である。この図に於いて、Ｆは建物の床面、１は扉枠、３は扉２の自由端部に埋設固定されたラッチ錠、４は扉の外壁面２ａに突出状態に固定された一方（上方）の台座、５は一方の台座に対応するように所定間隔を有して扉２の外壁面２ａに固定された他方（下方）の台座、６は上方台座４と下方台座５に架設した状態で両端部が支持されると共に、付勢バネにより初期位置に付勢された外側のハンドルである。なお、前記一方（上方）の台座４と、他方（下方）の台座５は、左右に配設しても良い。
【００１６】
周知のように、扉２は扉枠１の吊元側の縦枠１ａに上下一対の蝶番７、７を介して水平方向に開閉自在に取り付けられている。また、ラッチ錠３の錠箱から突出するラッチ８や、後述する内外気圧差解消装置Ｚのスイング式押圧体９は、扉枠１の自由端部側の縦枠１ｂに固定的に設けた錠受け１０にそれぞれ係脱や押圧できるように錠箱に設けられている。またラッチ錠３は、扉の自由端部の開放面の前部から後部に向けて埋設状態に取り付けられ、錠箱内に回動可能に設けられた駆動体（ラッチカム）は、例えば外側のハンドル６を扉１の開く方向（図１では手前に）へプルすると、後述する作動リンク２７及び連動レバー３０を介してラッチ８の回転を許容する方向並びに内外気圧差解消装置のスイング式押圧体９を錠受け１０に対して押圧する方向へと所定量回転する。
【００１７】
次に、図２は扉の自由端面側から見た説明図で、この図２を基準にすると、図の左側が室外で、一方、図の右側が室内である。したがって、図の左側に相当する扉２の外壁面２ａにプル側のハンドル装置Ｘが装着され、一方、図の右側に相当する扉２の内壁面２ｂにプッシュ側のハンドル装置Ｙが装着されている。
【００１８】
次に、図３は、例えば内外気圧差解消装置Ｚを備えたラッチ錠３の一例を示す概略説明図である。ラッチ錠３の構成及び作用は周知事項なので、ここでは図３を参照にして簡単に説明する。１１は錠箱、１２は幅広側壁の後壁寄りの部位に縦方向に形成された後述の連動レバー用開口、１３は錠箱１１内の回動可能に設けられた駆動体である。前記駆動体１３は、環状の周壁部分に複数個の係合部或いは係合凹凸部分を有している。例えば１３ａは連動レバーと係合する受動突起部、１３ｂはラッチ８の一例としての反転ラッチ用の係止機構１４を構成する係止腕１４ａの一方と係脱する係合凹凸部分、１３ｃは長杆状駆動腕である。内外気圧差解消装置Ｚの具体記構成は、本発明の独立特定要件ではないが、ここで内外気圧差解消装置Ｚの一例を説明する。
【００１９】
内外気圧差解消装置Ｚは、例えば駆動体１３の長杆状駆動腕１３ｃの前に水平移動可能に設けられた摺動制御体１５と、この摺動制御体１５と共働するように組み合わせられたスイング式押圧体１６と、該スイング式押圧体１６用付勢手段１７と、連結手段としてのスイング式押圧体用支軸１８等を備えている。付言すると、前記摺動制御体１５は、その後端部が該駆動カム１３の長杆状駆動腕１３ａと係合し、かつ該長杆状駆動腕１３ａの駆動力により錠箱１１のフロント１１ａ側へ付勢手段１７の付勢力に抗してスライド可能である。
【００２０】
また、前記スイング式押圧体１６は、前記摺動制御体１５の押圧先端部にその内端部が被係合部を介して連係されていると共に、垂直軸１８を介して連結軸支され、かつ、その先端部側に前記フロントから常に突出する係合先端部を有する。そして、内外気圧差解消装置Ｚは、開扉時、操作手段の操作力によって作動する前記駆動カム１３及び摺動制御体１５を介して前記スイング式押圧体１６の係合先端部が扉枠側の当接部に圧接すると、該圧接力に基づく反力は扉自体を開く方向へ作用する（図８参照）。
【００２１】
次に、図４はプル側のハンドル装置Ｘの扉２の自由端面側から見た説明図であり、しかも、主要部は初期位置の状態に位置している。また、図６はプル側のハンドル装置Ｘの主要部の説明図である。
【００２２】
しかして、プル側のハンドル装置Ｘは、ラッチ錠３を備えた扉２の外壁面２ａに上下方向に所定間隔を有して固定される上下一組の台座４、５と、これらの台座４、５に架設した状態で両端部が支持されると共に、台座４内の付勢バネ２１により初期位置に付勢された外側ハンドル６と、該外側ハンドル６の下端部６ａを、連結突片２２を介して軸支する枢軸２３と、一方、内外に位置変位する可動端部２７ａが前記外側ハンドル６の自由端部６ｂ側の連結突片２２及び可動ピン２４を介して枢着されていると共に、その下端部に相当する基端部が上方台座４の外向き凹所内（内側開口と連通する空間部）に横設軸架された第１固定軸２５に軸支され、その中間部がストッパー機能を有するガイド手段２６に案内される作動リンク２７と、この作動リンク２７の基端部側に形成された作動係合歯２７ｂと噛合する従動係合歯３０ｂが基端部側に形成されていると共に、前記第１固定軸２５と別個の第２固定軸２９に軸支され、かつ、前記作動リンク２７に連動すると共にラッチ錠３の駆動体１３の受動突起部１３ａと係合する長梃部分３０ａを有する連動レバー３０とから成る。
【００２３】
そして、（ａ）前記作動リンク２７はテコ式の長杆片であり、台座４の空間部３１内に支持板３９を介して（図５参照、本実施例）、又は介さないで横設軸架された第１固定軸２５を基準として、その長梃側端部がハンドル６の自由端部６ｂに作用点としての可動ピン２４に軸支されていると共に、その基端部側に作動係合歯２７ｂが形成され、（ｂ）また、前記連動レバー３０もテコ式の長杆片であり、第１固定軸２５よりも台座４の取付けベース面４ａ側に位置するように該台座４の空間部３１内に前記支持板３９を介して、又は介さないで横設軸架された第２固定軸２９を基準として、その長梃部分３０ａの先端部がラッチ錠３の駆動体１３に押圧係合すると共に、その基端部側に前記作動係合歯２７ｂに常時係合する従動係合歯３０ｂが形成されており、（ｃ）さらに、前記作動リンク２７と連動レバー３０は異形形状であり、連動レバー３０の回転半径は、作動リンク２７の回転半径よりも短い。
【００２４】
ところで、  上方台座４も下方台座５も、取付けベース４ａ、５ａの反対側の外壁弧状面に外向き凹所（空間部分）３１、３２がそれぞれ形成され、これらの外向き凹所３１、３２内に外側ハンドル６の両端部の一部又は全部が隠蔽状態に入り込んでいる。これは意匠上の美観性、考案上の外側ハンドル６の把持部分の範囲性等を考慮したものである。
【００２５】
また、例えば図５で示すように、支持機能及びガイド機能を有する単数又は複数の支持板３９を介して上方台座４の外向き凹所３１内に作動リンク２７と連動レバー３０をそれぞれ基端部が係合するように組み込むので、該上方台座４の適宜箇所には、ガイド手段２６の一方を構成する案内長孔２６ａ、第１固定軸用軸孔３４、第２固定軸用軸孔３５及び連動レバー３０用開口３６がそれぞれ適宜部位に形成され、前記連動レバー３０の「く」の字形状（アングル形状）に折り曲げ形成された突出端部３０ａは、前述したように駆動体１３の受動突起部（受動部）１３ａに係合するように臨んでいる。なお、前記連動レバー３０の具体的形状について、前記「アングル形状に折り曲げ形成された」とは、連動レバーの前記第２固定軸に軸支された部分(基部) から所定角度を有して折り曲げられた状態で延び、かつ一方の台座の取付けベース面から突出した状態で前記ラッチ錠の駆動体と係合する突出端部３０aまでの全体形状が、例えば図５を参照にすると、略「く」の字形状に見えることをいう。
【００２６】
次に、図６は図５の初期位置の状態から外側ハンドル６を矢印方向へプルした主要部の作動状態を示す説明図、図７は外側ハンドル６を完全にプルした全体の説明図である。これらの図は、外側ハンドル６を扉２の開く方向へプルすると、外側ハンドル６の一端部を軸支する枢軸２３が支点となって台座の一方（上方）の台座４に第１固定軸２５を介して軸支され、かつ、該外側ハンドルの他端部に連結された作動リンク２７の可動ピン２４が上方台座４の外方向へ所定量位置変位すると共に、該作動リンク２７に連動するように前記上方台座４に第２固定軸２９を介して軸支された連動レバー３０が、作動係合歯２７ｂと従動係合歯３０ｂ（動力変換手段）を介して、ラッチ錠３の駆動体１３を解錠方向へ所定量回転することを示す。この時、前述したように、内外気圧差解消装置Ｚも作動可能である（図８を参照）。
【００２７】
次に、図９乃至図１７は、本発明の主要部を示すプッシュ側ハンドル装置Ｙの各説明図である。したがって、図９はプッシュ側ハンドル装置Ｙの使用状態を扉の内壁面側から示す説明図である。なお、本発明の主要部を説明するに当たって、前述したプル側ハンドル装Ｘの主要部の部材と同一又は同様の部材については、同一又は同様の符号を付し、重複的な説明を割愛する。
【００２８】
これらの各図で於いて、４４は一方（上方）の台座、４５は一方の台座に対応するように所定間隔を有して扉２の内壁面２ｂに固定された他方（下方）の台座、４６は上方台座４４と下方台座４５に架設した状態で両端部が支持されると共に、後述する付勢バネにより初期位置に付勢された内側のハンドルである。
【００２９】
このプッシュ側のハンドル装置Ｙの構成は、プル側のハンドル装置Ｘと異なる構成であるものの、プル側ハンドル装Ｘの連動レバー３０の可動端部（突出端部）３０ａに対して、プッシュ側のハンドル装置Ｙの後述する連動レバーの突出端部を、ラッチ錠３の駆動体１３の受動部１３ａに対して略同一水平線上に位置付けることができると共に、前記駆動体の受動部を同じ方向へ押圧することができる。
【００３０】
これらの図から明らかなように、本発明の主要部は、ラッチ錠３を備えた扉２の内壁面２ｂに所定間隔を有して固定される一組の台座４４、４５と、これらの台座に架設した状態で両端部４６ａ、４６ｂが支持されると共に付勢バネ２１Ａにより初期位置に付勢された内側ハンドル４６と、この内側ハンドルを扉２の開く方向へプッシュすると、内側ハンドル４６の一端部４６ａを軸支する枢軸２３Ａが支点となって前記台座の一方の台座４４に第１固定軸２５Ａを介して軸支され、かつ、該内側ハンドルの自由端部４６ｂに連結された作動リンク２７Ａの可動ピン２４Ａが台座の内方向へ所定量位置変位すると共に、該作動リンク２７Ａに連動するように前記一方の台座４４に第２固定軸２９Ａを介して軸支された連動レバー３０Ａとから成るラッチ錠用のハンドル装置であって、前記作動リンク２７Ａは長杆状に形成されており、一方、前記連動レバー３０Ａはアングル形状に形成され、回転半径の異なる異形の前記作動リンク２７Ａ及び連動レバー３０Ａの各中間部分は、連係手段５０（５０ａ、５０ｂ）を介して互いに係合し、また、前記連動レバー３０Ａの先端部に相当する突出端部３０ａは、一方の台座の取付けベース面４４ａから突出した状態で前記ラッチ錠の錠箱１１内の駆動体１３の受動突起部１３ａと係合する。そして、本実施例では、前記連動レバー３０Ａの回転半径は、作動リンク２７Ａの回転半径よりも短い。
【００３１】
しかして、前記各中間部分の連係手段５０（５０ａ、５０ｂ）は、例えば図１５で示すように、作動リンク２７Ａの中間部分に突設された係合ピンであり、一方、連動レバー３０Ａに形成された係合長孔５０ｂである。
【００３２】
また、作動リンク２７Ａと連動レバー３０Ａは、プル側ハンドル装Ｘの作動リンク２７や連動レバー３０と同様に、支持機能及びガイド機能を有する単数又は複数の支持板３９Ａを介して上方台座４４の外向き凹所３１Ａ内に組み込まれている。
【００３３】
したがって、例えば図１２及び図１３に一方の台座４４の構成を示しているが、該一方の台座（実施例では上方台座）４４にも、連動レバー３０Ａ用の縦長状開口３６Ａ、前述した連係手段５０の係合ピン５０ａを案内する用案内長孔２６Ａ、第１固定軸用軸孔３４Ａ、第２固定軸用軸孔３５Ａ等が適宜に形成されている。また、付勢バネ２１Ａの中央部は、図１１で示すように、第１固定軸２５Ａに巻装され、その一端部は第２固定軸２９Ａに圧接し、一方、その他端部は作動リンク２７Ａの中間部分寄りの部位に設けたバネ受け部分２７ｃに支持されている。そして、例えば親指と人差し指を開いた形状のイメージを彷彿させる連動レバー３０Ａの突出端部３０ａは、前述したように駆動体１３の受動突起部１３ａに係合するように臨んでいる。
【００３４】
図１６及び図１７は、初期位置からの主要部の作動状態を示すが、これらの図で示すように、作動リンク２７Ａ及び連動レバー３０Ａの各中間部分は、連係手段５０（５０ａ、５０ｂ）を介して互いに係合しているから、内側ハンドル４６を扉２の開く方向へプッシュすると、互いに同じ方向へ共働回転してラッチ錠３の駆動体１３を解錠方向へ所定量回転することができる。その際、内側ハンドル４６の作動力は、内外気圧差解消装置Ｚの摺動制御体１５に伝達される。
【実施例】
【００３５】
本発明の主要部を構成する連係手段としての５０（５０ａ、５０ｂ）は、その一方が作動リンク２７Ａの中間部分に突設された係合ピン５０ａであり、その他方が連動レバー３０Ａの中間部分に形成されかつ前記係合ピン５０ａが係合する係合長孔５０ｂであるが、該係合長孔５０ｂは切欠状の係合部分に設計変更することもできる。
また、第１固定軸２５Ａ及び第２固定軸２９Ａの左右・上下の位置は、プル側ハンドル装置Ｘの連動レバー３０の可動端部（突出端部）３０ａに対して、プッシュ側のハンドル装置の連動レバー３０Ａのそれを、ラッチ錠３側の駆動体１３の受動突起部１３ａに対して略同一水平線上に位置付ける、前記駆動体の受動部を同じ方向へ押圧する、両可動端部（突出端部）３０ａ、３０ａのストロークを同じくする、という目的を踏まえて設定することができる。
【産業上の利用可能性】
【００３６】
本発明は錠前や建具の分野で利用することができる。
【符号の説明】
【００３７】
Ｘ…プル側のハンドル装置、Ｙ…プッシュ側のハンドル装置、Ｚ…内外気圧差解消装置、１…扉枠、２…扉、２ａ…外壁面、２ｂ…内壁面、３…ラッチ錠、４、４４…上方台座、５、４５…下方台座、６…外側ハンドル、４６…内側ハンドル、８…ラッチ、９…スイング式押圧体、１０…錠受け、１１…錠箱、１３…駆動体、１３ａ…受動突起部、１３ｃ…駆動腕、１５…摺動制御体、１６…押圧体、１７…付勢手段、２１、２１Ａ…付勢バネ、２３、２３Ａ…枢軸、２４、２４Ａ…可動ピン、２５、２５Ａ…第１固定軸、２６…ガイド手段、２６ａ…案内長孔、２６…Ａ案内長孔、２７、２７Ａ…作動リンク、２７ａ…可動端部、２７ｂ…作動係合歯、２９、２９Ａ…第２固定軸、３０、３０Ａ…連動レバー、３０ａ…突出端部、３０ｂ…従動係合歯、３１、３１Ａ…上方台座の凹所、３２…下方台座の凹所、３４…第１固定軸２５用軸孔、３５…第２固定軸２９用軸孔、３６、３６Ａ…連動レバー３０用開口、３９、３９Ａ…支持板、５０…連係手段。
【図１】
0005663316.tif 000002
【図２】
0005663316.tif 000003
【図３】
0005663316.tif 000004
【図４】
0005663316.tif 000005
【図５】
0005663316.tif 000006
【図６】
0005663316.tif 000007
【図７】
0005663316.tif 000008
【図８】
0005663316.tif 000009
【図９】
0005663316.tif 000010
【図１０】
0005663316.tif 000011
【図１１】
0005663316.tif 000012
【図１２】
0005663316.tif 000013
【図１３】
0005663316.tif 000014
【図１４】
0005663316.tif 000015
【図１５】
0005663316.tif 000016
【図１６】
0005663316.tif 000017
【図１７】
0005663316.tif 000018